(57)【要約】      （修正有）【課題】杖の固定パイプ部分を革層で覆うことで、杖全体の手触りと滑り止め効果を向上させると共に、デザイン性の向上も図ることができる杖を提供する。【解決手段】固定パイプの一端に握り手１０を設け、別端に地面を突く挿入棒２４を設ける。固定パイプは中空の金属パイプであり、浸す乾燥を経た外周に仲介膜を結合する。該仲介膜に接着剤を付けて革層４０を粘着し、該革層はしっかりと固定パイプの外周に結合して剥がれることがない。また、革層の外表面に必要な図案４１を彫刻することで、該革層は大幅に杖固定パイプの全体手触り感及び滑りとめ効果をアップするほか、立体図案により、杖全体がバリューアップする。【選択図】図３
0003148312.tif 000002
【実用新案登録請求の範囲】
【請求項１】
握り手及び固定パイプ、革層を含み、
握り手と接続する固定パイプは中空の金属パイプであり、該外周に仲介膜を結合し、
革層は対応する内外表面を具有し、該内面は接着剤を通じて仲介膜を覆うことで、該革層は全面的にしっかりと固定パイプの外周を覆うことができ、革層、接着剤、仲介膜及び固定パイプの結合構造を構成することを特徴とする革層を具有する杖の構造。
【請求項２】
前記革層は外表面に必要な図案を彫刻することを特徴とする請求項1記載の革層を具有する杖の構造。
【請求項３】
前記固定パイプの底端にネジカバーを螺合し、該ネジカバーは伸縮パイプを中に結束し、伸縮パイプの底端に別のネジカバーを設け、該ネジカバーは挿入棒と結束することで、二段式に該杖の長さを調整することを特徴とする請求項1或いは請求項2記載の革層を具有する杖の構造。
【考案の詳細な説明】
【技術分野】
【０００１】
本考案は革で表面を覆う杖の構造に関し、特に杖の固定パイプ外周にしっかりと革層を結合する構造であり、該革層の外側表面に予め彫刻した立体図案にすることで、杖全体の見た目を良くし、バリューアップする特徴とする杖に関する。
【背景技術】
【０００２】
現在杖に使われている固定パイプの殆どは中空の金属パイプを採用することで、ベストな構造性を具有する。該表面に装飾を増やすために、該固定パイプは圧延或いはレーザー彫刻をし、該外周に必要な立体図案を形成する。ただし、前述加工製法で解決できない欠点がある；
1.品質的に良くない：固定パイプは圧延或いはレーザー彫刻をした後、直接該外周に凹凸のある立体図案を形成するが、該立体図案は冷たく硬い触感を具有し、手触り感がよくない。また、その見た目は忙しい現代で単調な暮らしをする人々に余計なストレスを加えることもあるため、改良の必要性があった。
2.不良率が高い：固定パイプの形状に制限され、圧延或いはレーザー彫刻する際、加工不良率が明らかに多くなる。更に加工をすると、失敗して破棄する確率が増えるため、生産効率を縮減せざるを得ない上、材料コストに製造コストも要らぬ減損をするなど、業者の頭を大変悩まし、改善する必要があった。
【特許文献１】特開２００８−１６１３９３号公報
【考案の開示】
【考案が解決しようとする課題】
【０００３】
前記従来技術の欠点を解決するため、本考案は革層を具有する杖の改良構造を提供することを主な課題とする。
【課題を解決するための手段】
【０００４】
前記課題を解決するために、本考案は革層を具有する杖を提供する。該固定パイプは中空の金属パイプであり、浸す乾燥を経た外周に仲介膜を結合する。革層の外表面に必要な図案を彫刻することで、該革層の内表面は接着剤を通じて、仲介膜を覆う。そして、革層の外側表面が全面的にしっかりと固定パイプの外周を覆うことができるよう、革層、接着剤、仲介膜及び固定パイプの結合構造を構成する。該革層により杖全体の手触りと滑り止め効果をアップするほか、立体図案により、杖全体をバリューアップすることができる。該改良構造により大幅に効率と良品率をアップすることができる。
本考案は下記の特徴を有する。
（１）握り手及び固定パイプ、革層を含み、
握り手と接続する固定パイプは中空の金属パイプであり、該外周に仲介膜を結合し、
革層は対応する内外表面を具有し、該内面は接着剤を通じて仲介膜を覆うことで、該革層は全面的にしっかりと固定パイプの外周を覆うことができ、革層、接着剤、仲介膜及び固定パイプの結合構造を構成することを特徴とする革層を具有する杖の構造。
（２）前記革層は外表面に必要な図案を彫刻することを特徴とする（１）記載の革層を具有する杖の構造。
（３）前記固定パイプの底端にネジカバーを螺合し、該ネジカバーは伸縮パイプを中に結束し、伸縮パイプの底端に別のネジカバーを設け、該ネジカバーは挿入棒と結束することで、二段式に該杖の長さを調整することを特徴とする（１）或いは（２）記載の革層を具有する杖の構造。
【考案の効果】
【０００５】
該固定パイプに革層を付けることにより、杖の手触りがよくなり、滑り止め効果もある。革層の立体図案により、杖全体をバリューアップすることができるほか、該改良構造により大幅に効率と良品率をアップすることができる。
【考案を実施するための最良の形態】
【０００６】
図1から図5に示すように、本考案の杖に含まれるのは、ユーザーが握る握り手(10)、握り手(10)と接続する固定パイプ(20)は中空の金属パイプである。図2に示すように、浸す乾燥を経た外周に仲介膜(30)を結合する。固定パイプ(20)の底端にネジカバー(21)を螺合し、該ネジカバー(21)は伸縮パイプ(22)を中に結束する。伸縮パイプ(22)の底端に別のネジカバー(23)を設け、該ネジカバー(23)は挿入棒(24)を結束することで、二段式に該杖の長さを調整することができる。
【０００７】
革層(40)は対応する内外表面を具有する。該革層(40)の外表面に必要な図案(41)を彫刻する。該革層(40)の内表面に接着剤(42)を付けることで、該革層は該固定パイプ(20)の仲介膜(30)と固定して覆い、革層(40)が全面的にしっかりと固定パイプ(20)の外周を覆うことができる。革層(40)、接着剤(42)、仲介膜(30)及び固定パイプ(20)など、各層の結合構造を構成する。
【０００８】
本考案に下記のメリットを具有する：
1.本考案の革層(40)は杖全体の手触り感及び滑り止め効果を大幅にアップするほか、該図案(41)により、杖全体に良い外観造型をもたらすことで、ベストな装飾効果を得る。また、本考案のデザインにより、該図案(41)は革層(40)を展開して一つの平面として製造するため、容易に現有のレーザー彫刻加工を用いて完成することができ、更に多様化な選択と効果を得ることができる。
2.本考案の固定パイプ(20)の外周にある仲介膜(30)に、革層(40)を貼り付ける接着剤(42)を付けることができ、革層(40)は接着剤により、外れにくくなる。
【０００９】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【図面の簡単な説明】
【００１０】
【図１】本考案の局部分解略図である。
【図２】本考案固定パイプの形成する仲介膜の略図である。
【図３】本考案の組立外観略図である。
【図４】図3の局部拡大略図である。
【図５】図3の局部断面略図である。
【符号の説明】
【００１１】
10  握り手
20  固定パイプ
21  ネジカバー
22  伸縮パイプ
23  ネジカバー
24  挿入棒
30  仲介膜
40  革層
41  図案
42  接着剤
【図１】
0003148312.tif 000003
【図２】
0003148312.tif 000004
【図３】
0003148312.tif 000005
【図４】
0003148312.tif 000006
【図５】
0003148312.tif 000007